(57)【要約】【課題】本発明によれば、カバー体の取り付けが容易であり、部品を形成する材料を低減できる吐出容器を提供する。【解決手段】吐出容器１は、容器本体２、装着キャップ３、ポンプ、押下ヘッド５、規制筒１２、およびカバー体６を備える。規制筒１２は、押下ヘッド及びステムの上方移動を規制する。カバー体は、装着キャップを囲繞する主カバー体７０と、押下ヘッドを囲繞する副カバー体７１と、を備え、主カバー体と副カバー体とは弱化部７２を介して連結される。主カバー体および副カバー体の各周壁部は平面視で同方向に向けて開口するＣ字状に形成されている。容器本体には、主カバー体の周方向の移動を規制する第１規制部２ｃが形成されている。押下ヘッドには、副カバー体の移動を規制する第２規制部６４が形成されている。【選択図】図１
2018016389.tif 000002
【特許請求の範囲】
【請求項１】
内容物が収容される容器本体と、
前記容器本体の口部に装着される有頂筒状の装着キャップと、
前記装着キャップに、上方付勢状態で下方移動可能に貫設されたステムを有するポンプと、
前記ステムの上端に装着されるとともに、吐出孔が形成された押下ヘッドと、
前記装着キャップおよび前記押下ヘッドを覆うカバー体と、
下降端位置に位置する前記押下ヘッドが螺着され、前記押下ヘッドおよび前記ステムの上方移動を規制する規制筒と、を備え、
前記カバー体は、
前記装着キャップを径方向外側から囲繞する周壁部を有する主カバー体と、
破断可能に形成された弱化部を介して前記主カバー体に連結され、前記押下ヘッドを径方向外側から囲繞する周壁部を有する副カバー体と、を備えるとともに、
前記主カバー体および前記副カバー体の各周壁部は、容器軸方向から見た平面視で同方向に向けて開口するＣ字状に形成され、
前記容器本体には、前記主カバー体の前記容器本体に対する周方向の移動を規制する第１規制部が形成され、
前記押下ヘッドには、前記副カバー体の前記押下ヘッドに対する移動を規制する第２規制部が形成されていることを特徴とする吐出容器。
【請求項２】
前記容器本体に対する上方移動が規制されたタンパーエビデント部が、前記装着キャップの周壁部の下端縁に、破断可能な容易破断部を介して連結されていることを特徴とする請求項１に記載の吐出容器。
【請求項３】
前記主カバー体の周壁部には、内側に向けて突出し、かつ前記第１規制部に係止する係止部が形成されていることを特徴とする、請求項１または２に記載の吐出容器。
【請求項４】
前記副カバー体には、前記第２規制部と係合して前記副カバー体の前記押下ヘッドに対する移動を規制する被係合部が形成され、
前記被係合部と前記第２規制部との係合力が、前記弱化部を破断させる力より大きいことを特徴とする、請求項１から３のいずれか１項に記載の吐出容器。
【請求項５】
前記被係合部は前記副カバー体を貫通する貫通孔であり、
前記第２規制部は、前記押下ヘッドから径方向外側に向けて突出して前記被係合部に挿通する横突出部と、前記横突出部の径方向外側の端部から容器軸方向に突出する縦突出部と、を有することを特徴とする、請求項４に記載の吐出容器。
【発明の詳細な説明】
【技術分野】
【０００１】
本発明は、吐出容器に関する。
【背景技術】
【０００２】
従来、内容物が収容される容器本体と、容器本体の口部に装着される有頂筒状の装着キャップと、装着キャップに上方付勢状態で下方移動可能に貫設されたステムを有するポンプと、ステムの上端に装着されるとともに、吐出孔が形成された押下ヘッドと、を備え、ポンプが、下降端位置に位置する押下ヘッドが螺着され、押下ヘッドおよびステムの上方移動を規制する規制筒を備えた吐出容器が知られている。
【０００３】
この種の吐出容器では、未使用時において意図的に若しくは不意に加えられた外力によって、内容物が吐出されることや、装着キャップが容器本体から取り外されてしまうことを防止するために、例えば下記特許文献１に示されるような、押下ヘッドおよび装着キャップを覆うカバー体を備える構成が知られている。このカバー体は弱化部によって区画された除去帯を有しており、弱化部を破断して除去帯を除去することで、カバー体のうち押下ヘッドを覆う上側部分を除去することができる。そしてカバー筒の上側部分を除去することで、押下ヘッドを規制筒に対して緩み方向に回転移動させることができる。
【先行技術文献】
【特許文献】
【０００４】
【特許文献１】特開２００６−８９１１０号公報
【発明の概要】
【発明が解決しようとする課題】
【０００５】
ところで、前記特許文献１の吐出容器の組み立て時には、あらかじめ押下ヘッドをポンプに装着し、装着キャップに組み付けておく。そして、内容物を容器本体に充填した後、押下ヘッド、ポンプ、および装着キャップを一体として容器本体の口部に装着し、さらにカバー体を取り付ける。このとき、ノズル部をカバー体の縦長窓に通しながら切り欠き孔に係合突部を嵌合する必要があるため、組み立てが容易ではなく、製造工程の複雑化につながっていた。また、部品を形成する材料の量を低減することも望まれていた。
【０００６】
本発明はこのような事情を考慮してなされたもので、カバー体の取り付けが容易であり、部品を形成する材料を低減できる吐出容器を提供することを目的とする。
【課題を解決するための手段】
【０００７】
上記課題を解決するために、本発明の吐出容器は、内容物が収容される容器本体と、前記容器本体の口部に装着される有頂筒状の装着キャップと、前記装着キャップに、上方付勢状態で下方移動可能に貫設されたステムを有するポンプと、前記ステムの上端に装着されるとともに、吐出孔が形成された押下ヘッドと、前記装着キャップおよび前記押下ヘッドを覆うカバー体と、下降端位置に位置する前記押下ヘッドが螺着され、前記押下ヘッドおよび前記ステムの上方移動を規制する規制筒と、を備え、前記カバー体は、前記装着キャップを径方向外側から囲繞する周壁部を有する主カバー体と、破断可能に形成された弱化部を介して前記主カバー体に連結され、前記押下ヘッドを径方向外側から囲繞する周壁部を有する副カバー体と、を備えるとともに、前記主カバー体および前記副カバー体の各周壁部は、容器軸方向から見た平面視で同方向に向けて開口するＣ字状に形成され、前記容器本体には、前記主カバー体の前記容器本体に対する周方向の移動を規制する第１規制部が形成され、前記押下ヘッドには、前記副カバー体の前記押下ヘッドに対する移動を規制する第２規制部が形成されていることを特徴とする。
【０００８】
本発明の吐出容器によれば、例えばカバー体を取り外さずに押下ヘッドを規制筒に対して緩み方向に回転させて、押下ヘッドおよびステムの上方移動の規制を解除しようとすると、第２規制部が副カバー体の押下ヘッドに対する移動を規制することから、副カバー体も容器本体に対して回転させられる。一方、副カバー体は弱化部を介して主カバー体に連結されており、主カバー体の容器本体に対する周方向の移動は第１規制部により規制されるため、副カバー体と主カバー体との間には周方向に捻る力が作用する。そしてこの力により、主カバー体と副カバー体とを連結する弱化部が破断されるため、弱化部を視認することで押下ヘッドおよびステムが上方移動したことを容易に判別可能となる。
また、例えばカバー体を取り外さずに装着キャップを容器本体から取り外す操作を行おうとしても、主カバー体の周壁部が装着キャップを囲繞していることにより装着キャップが掴みにくいため、このような操作がなされることを抑止できる。あるいは、主カバー体を径方向内側に向けて撓ませて主カバー体ごと装着キャップを掴み、装着キャップを容器本体に対して回転させようとしても、第１規制部により主カバー体の容器本体に対する周方向の移動が規制されるため、このような操作がなされることを抑止できる。
また、副カバー体の押下ヘッドに対する移動が第２規制部により規制されるため、例えば主カバー体を掴んで吐出容器から取り外そうとすると、副カバー体と主カバー体との間に引張力が作用し、この引張力によって弱化部が破断する。
以上により、例えば吐出容器が流通、販売されている際に、装着キャップが取り外されたり、押下ヘッドと規制筒との螺着が解除されたりするのを抑止できるとともに、このような操作がなされた場合には、破断された弱化部を視認することで容易に判別することができる。
そして、カバー体の全体が平面視でＣ字状に形成されていることから、吐出容器の組立て時には、Ｃ字状の開口部を通して装着キャップおよび押下ヘッドをカバー体内に進入させることで、カバー体を容易に取り付けることが可能となる。さらに、例えばカバー体を筒状に形成した場合と比較して、カバー体を形成する材料の量を低減することができる。
【０００９】
ここで、前記容器本体に対する上方移動が規制されたタンパーエビデント部が、前記装着キャップの周壁部の下端縁に、破断可能な容易破断部を介して連結されていてもよい。
【００１０】
この場合、装着キャップが容器本体に対して上方移動させられると、装着キャップに連結されたタンパーエビデント部の容器本体に対する上方移動が規制されているため、装着キャップの周壁部とタンパーエビデント部との間に上下方向の引張力が作用する。この引張力により容易破断部が破断するため、装着キャップが取り外されたことを、容易破断部の視認によって容易に判別することができる。
【００１１】
また、前記主カバー体の周壁部には、内側に向けて突出し、かつ前記第１規制部に係止する係止部が形成されていてもよい。
【００１２】
この場合、内側に向けて突出する係止部が主カバー体の周壁部に形成されており、この係止部が第１規制部に係止することで、より確実に主カバー体の容器本体に対する周方向の移動を規制することができる。
【００１３】
また、前記副カバー体には、前記第２規制部と係合して前記副カバー体の前記押下ヘッドに対する移動を規制する被係合部が形成され、前記被係合部と前記第２規制部との係合力が、前記弱化部を破断させる力より大きくなるように構成されていてもよい。
【００１４】
この場合、例えばカバー体に押下ヘッドに対して移動させるような外力が作用すると、第２規制部と被係合部との係合が解除される前に弱化部が破断するため、弱化部を視認することで、カバー体が押下ヘッドから取り外されたことを容易に判断することが可能となる。
【００１５】
また、前記被係合部は前記副カバー体を貫通する貫通孔であり、前記第２規制部は、前記押下ヘッドから径方向外側に向けて突出して前記被係合部に挿通する横突出部と、前記横突出部の径方向外側の端部から容器軸方向に突出する縦突出部と、を有していてもよい。
【００１６】
この場合、貫通孔である被係合部を横突出部が挿通し、この横突出部の径方向外側の端部から縦突出部が容器軸方向に突出しているため、第２規制部と被係合部とをより確実に係合させて、不意にカバー体が押下ヘッドに対して移動させられるのを抑止することができる。
【発明の効果】
【００１７】
本発明によれば、カバー体の取り付けが容易であり、部品を形成する材料を低減できる吐出容器を提供することができる。
【図面の簡単な説明】
【００１８】
【図１】第１実施形態に係る吐出容器を示す図であり、（ａ）は上面図、（ｂ）は側面図である。
【図２】図１に示す吐出容器のうち、カバー体を取り外した状態を示す側面図である。
【図３】図１に示す吐出容器のうち、カバー体を取り外した状態を示す半縦断面図である。
【図４】図１に示すカバー体のＡ方向矢視図である。
【図５】第２実施形態に係る吐出容器の側面図である。
【図６】第３実施形態に係る吐出容器の側面図であり、カバー体の一部を破断して表示した図である。
【図７】図６に示す吐出容器のＸ−Ｘ断面矢視図である。
【発明を実施するための形態】
【００１９】
（第１実施形態）
以下、第１実施形態に係る吐出容器の構成を、図１〜図４を参照しながら説明する。なお、以下の説明に用いる各図面では、各部材を認識可能な大きさとするため縮尺を適宜変更している。
図１〜図３に示すように、吐出容器１は、内容物が収容される容器本体２と、容器本体２の口部２ａに装着される有頂筒状の装着キャップ３と、装着キャップ３に貫設されたステム７を有するポンプ４と、ステム７の端部に装着されるとともに吐出孔５ａが形成された押下ヘッド５と、装着キャップ３および押下ヘッド５を覆うカバー体６と、を備えている。
【００２０】
ここで、図３に示すように、容器本体２の口部２ａおよび装着キャップ３は、それぞれの中心軸が共通軸上に位置する状態で配設されている。以下、この共通軸を容器軸Ｏといい、容器軸Ｏに沿う方向を上下方向（容器軸方向）といい、上下方向に沿った押下ヘッド５側を上側、その反対側を下側という。また、上下方向から見た平面視で容器軸Ｏに直交する方向を径方向といい、容器軸Ｏ周りに周回する方向を周方向という。
【００２１】
ステム７は、装着キャップ３に上方付勢状態で下方移動可能に貫設されており、その上端に押下ヘッド５が装着されている。ステム７および押下ヘッド５は、未使用時の段階では、図１〜図３に示す下降端位置に位置しているとともに、押下ヘッド５が後述する規制筒１２に螺着して保持されることで、上昇移動がともに規制されている。一方、内容物を吐出可能な状態では、ステム７および押下ヘッド５は上昇端位置に位置して、押下のための待機状態を維持している（図示略）。そして、カバー体６が押下ヘッド５から取り外された状態で、押下ヘッド５を押下してステム７を下方に移動させポンプ４を作動させることにより、容器本体２内の内容物がステム７内および押下ヘッド５内を上方に移送されて、吐出孔５ａから吐出されるように構成されている。
【００２２】
図３に示すように、装着キャップ３は、環状の天壁部３ａを有する有頂筒状に形成され、容器本体２の口部２ａに螺着されている。天壁部３ａは、後述するシリンダ１０のフランジ部２０上に配設されている。なお、天壁部３ａの径方向内側には、シリンダ１０のうちフランジ部２０より上方に位置する突出筒部２３が、天壁部３ａの内周縁に対して隙間をあけた状態で挿通されている。
【００２３】
装着キャップ３の周壁部の下端縁には、環状のタンパーエビデント部１３が連設されている。装着キャップ３の周壁部の下端縁とタンパーエビデント部１３の上端縁とは、破断可能な容易破断部１５を介して連結されている。容易破断部１５は、周方向に間隔をあけて複数配設されている。なお、容易破断部１５は、周方向の全周にわたって連続して延びる薄肉部などであってもよい。タンパーエビデント部１３の内周面には、径方向の内側に向かうに従い漸次上方に向けて延びる爪部１４が周方向に間隔をあけて複数形成されている。各爪部１４の上端部は、容器本体２の口部２ａに形成された突起２ｂに、この突起２ｂの下方から当接若しくは近接している。これにより、タンパーエビデント部１３の容器本体２の口部２ａに対する上方移動が規制されている。
【００２４】
ポンプ４は、容器本体２の口部２ａ内に挿入された状態で装着キャップ３によって保持されるシリンダ１０と、下降端位置に位置する押下ヘッド５が螺着され、押下ヘッド５およびステム７の上方移動を規制する規制筒１２と、を備えている。規制筒１２は、シリンダ１０の上端部に装着されている。
【００２５】
シリンダ１０の内側には、ステム７が上方に向けて立設されている。シリンダ１０は、上端にフランジ部２０が設けられた直筒部２１と、直筒部２１の上端から上方に向けて延び、フランジ部２０より上方に位置する突出筒部２３と、を備えている。
フランジ部２０は、直筒部２１の上端から径方向外側に向けて突出する環状に形成されている。フランジ部２０は、シールリング２４を挟んで容器本体２の口部２ａの上端開口縁上に配設されている。
【００２６】
規制筒１２は、天壁３０および周壁３１を有する有頂筒状に形成されている。天壁３０は、環状に形成され、その内側にはステム７が挿通されている。周壁３１の下端縁は、装着キャップ３の天壁部３ａの上面に当接または近接している。また、規制筒１２には、天壁３０の下面から下方に延びる内筒部３２と、天壁３０の内周縁から上下両側に延びるガイド筒部３３と、が形成されている。
【００２７】
内筒部３２は、シリンダ１０の突出筒部２３に対し、例えばアンダーカット嵌合により外嵌されている。内筒部３２の下端部は、装着キャップ３の天壁部３ａの内周縁と突出筒部２３の外周面との間の隙間に配設されている。ガイド筒部３３の内側には、ステム７が挿通されている。ガイド筒部３３のうち天壁３０との接続部より下側の部分は、突出筒部２３の内側に配設されている。ガイド筒部３３のうち天壁３０との接続部より上側の部分の外周面には、押下ヘッド５の後述するネジ筒部６３に螺着する雄ネジ部３３ａが形成されている。雄ネジ部３３ａは、２条ネジとされている。
【００２８】
図３に示すように、押下ヘッド５は、有頂筒状の本体筒部６０と、本体筒部６０の頂壁６０ａから下方に向けて延設され、ステム７の上端に装着される装着筒部６１と、本体筒部６０から径方向外側に突出するとともに内部が装着筒部６１内に連通し、先端に吐出孔５ａが形成されたノズル部６２と、装着筒部６１よりも径方向外側において本体筒部６０の頂壁６０ａから下方に向けて延設され、規制筒１２のガイド筒部３３に螺着されるネジ筒部６３と、を備えている。本体筒部６０、装着筒部６１およびネジ筒部６３は、容器軸Ｏと同軸に配設されている。
【００２９】
本体筒部６０の周壁６０ｂは、規制筒１２の周壁３１と略同径に形成されている。
装着筒部６１は、ステム７の内側に密に嵌合している。装着筒部６１の外周面には、上下方向に沿って延在する縦リブ６１ａが周方向に間隔をあけて複数形成されている。縦リブ６１ａの下端縁は、ステム７の上端縁に上方から当接している。
【００３０】
ネジ筒部６３の内周面には、規制筒１２の雄ネジ部３３ａに螺着する雌ネジ部６３ａが形成されている。ネジ筒部６３は、押下ヘッド５が下降端位置に位置しているときに、規制筒１２に螺着される。ネジ筒部６３の下端縁は、規制筒１２の天壁３０の上面に当接若しくは近接している。
【００３１】
図１（ｂ）に示すように、カバー体６は、装着キャップ３を径方向外側から囲繞する周壁部７０ａを有する主カバー体７０と、押下ヘッド５を径方向外側から囲繞する周壁部７１ａを有する副カバー体７１と、を備えている。副カバー体７１は、破断可能に形成された弱化部７２を介して主カバー体７０に連結されている。弱化部７２は、周方向に間隔をあけて複数配設されている。
図１（ａ）に示すように、主カバー体７０の周壁部７０ａおよび副カバー体７１の周壁部７１ａはそれぞれ、上下方向から見た平面視で同方向に向けて開口するＣ字状に形成されている。
ここで、図１（ａ）に示すように、カバー体６の上面視形状は、容器軸Ｏを通る中心線Ｃを対称軸として線対称に形成されている。また、図示は省略するが、カバー体６の容器軸Ｏに直交する横断面における形状は、上下方向の全長にわたって中心軸線Ｃを対称軸として線対称に形成されている。
以下、中心線Ｃに沿う方向を前後方向といい、前後方向に沿った各周壁部７０ａ、７１ａが開口している側を前側といい、その反対側を後側という。
【００３２】
図１（ａ）、（ｂ）に示すように、主カバー体７０は副カバー体７１よりも上下方向に長い。また、主カバー体７０は副カバー体７１よりも径方向外側に配設されている。
主カバー体７０は、その周壁部７０ａの周方向の両端部から前方に向けて延びるストレート部７０ｅを備えている。ストレート部７０ｅの上下方向の長さは、周壁部７０ａの上下方向の長さよりも短い。周壁部７０ａの周方向の端部のうち、ストレート部７０ｅを回避した部分は、容器本体２に形成された段差（以降、第１規制部２ｃという）に周方向に当接若しくは近接している。本実施形態の第１規制部２ｃは、容器本体２の肩部に周方向に間隔を空けて２つ配設され、それぞれが後方を向く面を有している。そして、各第１規制部２ｃに対して主カバー体７０の周壁部７０ａにおける両周端部が、周方向にそれぞれ当接若しくは近接している。これにより、第１規制部２ｃは主カバー体７０の容器本体２に対する周方向の移動を規制している。
【００３３】
なお、図１（ａ）に示すように、主カバー体７０の周壁部７０ａは容器軸Ｏを中心として１８０°を超えて周方向に延在している。これにより、図１（ｂ）に示すように、周壁部７０ａの両周端部はいずれも容器軸Ｏよりも前側に位置している。同様に、各第１規制部２ｃおよび各ストレート部７０ｅはいずれも容器軸Ｏよりも前側に位置している。
【００３４】
主カバー体７０の周壁部７０ａおよびストレート部７０ｅにおける外周面には、上下方向に延びる突条７０ｂが周方向に等間隔をあけて複数形成されている。主カバー体７０は、その周壁部７０ａおよびストレート部７０ｅと、弱化部７２と、の間に配設された傾斜部７３を備えている。傾斜部７３は、上方に向かうに従い漸次内側に向けて延びている。
【００３５】
図１（ａ）、（ｂ）に示すように、副カバー体７１は、その周壁部７１ａの両周端部から前方に向けて延びるストレート部７１ｄと、各ストレート部７１ｄの前端部からそれぞれ前方に向けて延びる摘み部７１ｃと、を備えている。摘み部７１ｃの外周面には、滑り止めのためのローレット形状が形成されている。摘み部７１ｃは、主カバー体７０のストレート部７０ｅよりも前方に突出している。
図４に示すように、副カバー体７１には、その周壁部７１ａを前後方向に貫通する貫通孔（以降、被係合部７１ｂという）が形成されている。被係合部７１ｂは、後方から見た背面視において、上下方向よりも周方向に長い長丸孔状に形成されている。
【００３６】
図１（ａ）および図３に示すように、先述の押下ヘッド５には、本体筒部６０の周壁６０ｂから径方向外側に向けて突出し、周壁６０ｂの外周面に沿って延びる第２規制部６４が形成されている。第２規制部６４は、本体筒部６０の周壁６０ｂから径方向外側に向けて突出する横突出部６４ａと、横突出部６４ａの径方向外側の端部から上下方向に突出する縦突出部６４ｂと、を有する。横突出部６４ａの周方向の長さは、被係合部７１ｂの周方向の長さと同等若しくはそれよりもわずかに小さく形成されている。
本実施形態における縦突出部６４ｂは、横突出部６４ａから下方に向けて突出している。縦突出部６４ｂがカバー体６の径方向外側に位置する状態で、横突出部６４ａが貫通孔である被係合部７１ｂに挿通することにより、第２規制部６４および被係合部７１ｂが係合して副カバー体７１の押下ヘッド５に対する上下方向、前後方向および周方向の移動を規制する。
【００３７】
なお、副カバー体７１を押下ヘッド５に対して移動させた際に、第２規制部６４と被係合部７１ｂとの係合を解除させるための力（以下、係合力という）は、副カバー体７１を主カバー体７０に対して移動させた際に弱化部が破断する力よりも大きくなるように構成されている。これにより、例えばカバー体６に、押下ヘッド５に対して移動させるような外力が不意に作用した場合に、第２規制部６４と被係合部７１ｂとの係合が解除される前に弱化部７２が破断するため、弱化部７２を視認することで、カバー体６が押下ヘッド５から取り外されたことを容易に判別することができる。
【００３８】
なお、図４に示すように、被係合部７１ｂおよび弱化部７２は、上下方向において互いに同等の位置に配設されている。すなわち、弱化部７２は周方向において被係合部７１ｂを回避した部分に形成されている。この構成により、弱化部７２を破断させることで被係合部７１ｂが上下方向に分離し、第２規制部６４と被係合部７１ｂとの係合が解除され、カバー体６を吐出容器１から取り外すことが可能となる。また、主カバー体７０と副カバー体７１とを分離する際に、破断すべき弱化部７２の周方向の長さが小さく抑えられ、より容易に主カバー体７０と副カバー体７１とを分離することが可能となる。
【００３９】
上述のように構成された吐出容器１を使用する場合には、カバー体６の摘み部７１ｃを摘んで引くことにより、弱化部７２が破断される。このとき被係合部７１ｂが上下方向に分離するため、被係合部７１ｂと第２規制部６４との係合が解除され、カバー体６を押下ヘッド５および装着キャップ３から取り外すことができる。
カバー体６を取り外した後、下降端位置に位置する押下ヘッド５を規制筒１２に対して容器軸Ｏ周りに緩み方向に回転させることで、押下ヘッド５の規制筒１２に対する螺着が解除され、ステム７の上方付勢力により押下ヘッド５およびステム７を上昇させることができる。これにより、吐出容器１は、押下ヘッド５およびステム７を押下して内容物を吐出可能な状態となる。
【００４０】
以上説明したように、本実施形態の吐出容器１によれば、例えばカバー体６を取り外さずに装着キャップ３を容器本体２から取り外す操作を行おうとしても、主カバー体７０の周壁部７０ａが装着キャップ３を囲繞していることにより装着キャップ３が掴みにくいため、このような操作がなされることを抑止できる。あるいは、主カバー体７０を径方向内側に向けて撓ませて主カバー体７０ごと装着キャップ３を掴み、装着キャップ３を容器本体２に対して回転させようとしても、主カバー体７０の周壁部７０ａにおける周方向の両端部が、各第１規制部２ｃのそれぞれに周方向に当接若しくは近接することにより、主カバー体７０の容器本体２に対する周方向の移動が規制されるため、このような操作がなされることを抑止できる。
【００４１】
また、例えばカバー体６を取り外さずに押下ヘッド５を規制筒１２に対して緩み方向に回転させて、押下ヘッド５およびステム７の上方移動の規制を解除しようとすると、第２規制部６４が副カバー体７１の押下ヘッド５に対する移動を規制することから、副カバー体７１も容器本体２に対して回転させられる。一方、副カバー体７１は弱化部７２を介して主カバー体７０に連結されており、主カバー体７０の容器本体２に対する周方向の移動は第１規制部２ｃにより規制されるため、副カバー体７１と主カバー体７０との間には周方向に捻る力が作用する。そしてこの力により、主カバー体７０と副カバー体７１とを連結する弱化部７２が破断されるため、弱化部７２を視認することで押下ヘッド５およびステム７が上方移動したことを容易に判別可能となる。
【００４２】
また、副カバー体７１の押下ヘッド５に対する移動が第２規制部６４により規制されるため、例えば主カバー体７０を掴んで吐出容器１から取り外そうとすると、副カバー体７１と主カバー体７０との間に引張力が作用し、この引張力によって弱化部７２が破断する。
【００４３】
以上により、例えば吐出容器１が流通、販売されている際に、装着キャップ３が取り外されたり、押下ヘッド５と規制筒１２との螺着が解除されたりするのを抑止できるとともに、このような操作がなされた場合には、破断された弱化部７２を視認することで容易に判別することができる。
そして、カバー体６の全体が平面視でＣ字状に形成されていることから、吐出容器１の組立て時には、Ｃ字状の開口部を通して装着キャップ３および押下ヘッド５をカバー体６内に進入させることで、カバー体６を容易に取り付けることが可能となる。さらに、例えばカバー体６を筒状に形成した場合と比較して、カバー体６を形成する材料の量を低減することができる。
【００４４】
また、例えば吐出容器１の流通、販売時に装着キャップ３を取り外すような意図しない操作がなされて、装着キャップ３が容器本体２に対して上方移動させられると、装着キャップ３に連結されたタンパーエビデント部１３の容器本体２に対する上方移動が規制されているため、装着キャップ３の周壁部とタンパーエビデント部１３との間に上下方向の引張力が作用する。この引張力によって容易破断部１５が破断するため、装着キャップ３が取り外されたことを、容易破断部１５の視認によって容易に判別することができる。
【００４５】
また、貫通孔である被係合部７１ｂを横突出部６４ａが挿通し、この横突出部６４ａの径方向外側の端部から縦突出部６４ｂが上下方向に突出しているため、第２規制部６４と被係合部７１ｂとを確実に係合させて、不意にカバー体６が押下ヘッド５に対して移動させられるのを抑止することができる。
【００４６】
（第２実施形態）
次に、本発明に係る第２実施形態について説明するが、第１実施形態と基本的な構成は同様である。このため、同様の構成には同一の符号を付してその説明は省略し、異なる点についてのみ説明する。
【００４７】
図５に示すように、本実施形態の吐出容器１ａにおける弱化部７２ａは、主カバー体７０と副カバー体７１との接続部の全体にわたって延びる薄肉部によって形成されている。これにより、弱化部７２ａが破断されている場合に、より容易にこれを判別することが可能となる。また、副カバー体７１と主カバー体７０とを相対的に移動させる外力が加わった場合、弱化部７２ａが破断しなくても、例えば上下方向に延びるように塑性変形する。これにより、外力が加わるのが停止した後も、弱化部７２ａの塑性変形した部分が径方向の外側に突出したり、主カバー体７０の周壁部７０ａが後述する段部２ｅの下方に乗り上げたりするため、弱化部７２ａの形状や周壁部７０ａの位置を視認することで、装着キャップ３が取り外されたり、押下ヘッド５と規制筒１２との螺着が解除されたりしたことを容易に判別することができる。
【００４８】
また、本実施形態の吐出容器１ａは、容器本体２の肩部に形成された周方向に延びる段部２ｅを備えている。段部２ｅは、主カバー体７０の周壁部７０ａと周方向において同等の位置に形成されており、主カバー体７０の周壁部７０ａにおける下端縁と上下方向に当接若しくは近接している。これにより、例えばカバー体６に下方に向けた外力が作用した場合に、主カバー体７０と段部２ｅとが当接してこの外力を受け止めることが可能となり、外力によって第２規制部６４と被係合部７１ｂとの係合が不意に解除されるのをより確実に抑止することができる。
【００４９】
（第３実施形態）
次に、本発明に係る第３実施形態について説明するが、第１実施形態と基本的な構成は同様である。このため、同様の構成には同一の符号を付してその説明は省略し、異なる点についてのみ説明する。
本実施形態の吐出容器１ｂは、主カバー体７０の容器本体２に対する周方向の移動を規制するための構成が第１実施形態と異なる。
【００５０】
第１実施形態の第１規制部２ｃは後方を向く面を有していたが、本実施形態における第１規制部２ｄは前方を向く面を有している。そして、本実施形態のカバー体６は、図６、７に示すように、係止部７０ｄを備えている。
係止部７０ｄは、主カバー体７０の周壁部７０ａから内側に向けて突出している。係止部７０ｄは、主カバー体７０の周壁部７０ａにおける周方向両端部の下端にそれぞれ形成されている。各係止部７０ｄは、容器本体２の各第１規制部２ｄにそれぞれ周方向に近接若しくは当接している。各係止部７０ｄが各第１規制部２ｄにそれぞれ係止することにより、主カバー体７０の容器本体２に対する周方向の移動が規制される。
【００５１】
なお、本実施形態の係止部７０ｄは、平面視において主カバー体７０の周壁部７０ａにおけるＣ字状の開口方向と反対の方向（後方）に向けて突出している。これにより、カバー体６が容器本体２に対して容器軸Ｏ周りに回転させられた際に、係止部７０ｄが変形しにくくなり、より確実にカバー体６の容器本体２に対する回転を規制することができる。
また、係止部７０ｄは主カバー体７０の周壁部７０ａにおける下端部に形成されているため、被係合部７１ｂと係止部７０ｄとの間の上下方向における距離が大きくなっている。これにより、例えば図６において、カバー体６に第２規制部６４周りに上方に向けて回転させる外力が働いた場合であっても、この外力を起因として係止部７０ｄに作用する力を小さくすることが可能となり、係止部７０ｄが変形して第１規制部２ｄとの係止が不意に解除されるのを抑制することができる。
【００５２】
なお、本発明の技術的範囲は前記実施の形態に限定されるものではなく、本発明の趣旨を逸脱しない範囲において種々の変更を加えることが可能である。
【００５３】
例えば、前記実施形態では、第２規制部６４はノズル部６２の容器軸Ｏを挟んだ反対側に配設されていたが、第２規制部６４はノズル部６２に対して周方向の他の位置に配設されていてもよい。
また、前記実施形態では横突出部６４ａと縦突出部６４ｂとを備えた第２規制部６４について説明したが、縦突出部６４ｂを備えていない第２規制部６４を採用してもよい。また、縦突出部６４ｂは横突出部６４ａの径方向外側の端部から上方に向けて突出していてもよい。
【００５４】
また、前記実施形態では第２規制部６４の横突出部６４ａが貫通孔である被係合部７１ｂに挿通することで、副カバー体７１の押下ヘッド５に対する移動を規制したが、他の構成を採用することも可能である。例えば、副カバー体７１から径方向内側に向けて突出する凸部が、押下ヘッド５に形成された第２規制部としての凹部に進入することにより、副カバー体７１の押下ヘッド５に対する移動を規制してもよい。
【００５５】
また、前記実施形態の装着キャップ３は容易破断部１５を介して連結されたタンパーエビデント部１３を備えていたが、このようなタンパーエビデント部１３を備えていない装着キャップ３を採用してもよい。
また、前記実施形態の規制筒１２はポンプ４に備えられていたが、本発明はこれに限られず、例えば装着キャップ３に備えられた規制筒１２を採用してもよい。
【００５６】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５７】
１、１ａ、１ｂ…吐出容器  ２…容器本体  ２ａ…容器本体の口部  ２ｃ、２ｄ…第１規制部  ３…装着キャップ  ４…ポンプ  ５…押下ヘッド  ５ａ…吐出孔  ６…カバー体  ７…ステム  １２…規制筒  １３…タンパーエビデント部  ６４…第２規制部  ６４ａ…横突出部  ６４ｂ…縦突出部  ７０…主カバー体  ７０ｄ…係止部  ７１…副カバー体  ７１ｂ…被係合部  Ｏ…容器軸
【図１】
2018016389.tif 000003
【図２】
2018016389.tif 000004
【図３】
2018016389.tif 000005
【図４】
2018016389.tif 000006
【図５】
2018016389.tif 000007
【図６】
2018016389.tif 000008
【図７】
2018016389.tif 000009